(57)【特許請求の範囲】
【請求項１】
タンク内の所定部分に乾燥剤が配置されたレシーバドライヤであって、上記乾燥剤の配置部分外でかつ液冷媒が通過する空間内に蛍光剤を含む部材がフリー状態で配置されていることを特徴とするレシーバドライヤ。
【請求項２】
上記乾燥剤がフィルタ部に存在すると共に、上記蛍光剤を含む部材が上記フィルタ部の上流側に配置されていることを特徴とする請求項１記載のレシーバドライヤ。
【発明の詳細な説明】
【０００１】
【発明の属する技術分野】
本発明は、車両用冷・暖房システムに用いられ、液相冷媒を貯留するまたは液相冷媒が通過するレシーバドライヤに関する。
【０００２】
【従来の技術】
図３は車両用冷・暖房システムに用いられる従来のレシーバドライヤを示し、図３において符号１は上端が開口するタンクで、このタンク１は円筒形状をなし、その底面２１が平坦中央部２２に向かったテーパ傾斜面２２ａを有する略摺鉢状に形成されている。２３は前記タンク１の中心部に配置される冷媒吸出管で、高さ方向に対する中間位置にはフィルタ係止部４が膨出形成されている。
【０００３】
２４は前記吸出管２３の下端部に取付けられた受け部材で、吸出管２３の下端部に穴内端段部２６が当接するようにされる取付穴２５と、この取付穴２５に連通する側面開口の下端凹溝からなる冷媒吸出用の通孔２７(取付穴２５の下端部に連通する横貫通孔であっても良い)と、前記傾斜面２２ａに沿って平坦中央部２２に誘導停止される下端傾斜面２４ａとを有する図４に示すような形状の吸出管取付部材として形成され、この吸出管取付部材である受け部材２４を前記タンク１の底面中央部２２に当接して、前記吸出管２３をタンク中心部に図３の如く支持している。
【０００４】
４０は前記吸出管２３のフィルタ係止部４上に支持してタンク１内に保持されるフィルタ部で、多数の通液小孔を有するパンチングメタルや網体等の円板で形成され中心孔を前記吸出管２３に挿入してフィルタ係止部４の上に係止される保持板２８ａと、この保持板の上に載置される冷媒中の塵埃を除去するためのフェルト等の下部フィルタ２９と、この下部フィルタ上に充填される冷媒中の水分を除去するための所定量の乾燥剤３０と、この乾燥剤３０の上を覆う冷媒中の塵埃を除去するためのフェルト等の上部フィルタ２９ａと、多数の通液小孔を有するパンチングメタルや網体等の円板で形成され中心孔を前記吸出管２３に挿入して上部フィルタ２９ａの上に被着される押え板２８ｂとから構成される。
【０００５】
なお、前記保持板２８ａと押え板２８ｂの外周部及び中心孔部は網付きとなっており、その外周鍔固はタンク１の内周面部に略接するようになっているが、前記保持板２８ａ及び押え板２８ｂの鍔はなくても良い。また、前記下部フィルタ２９及び上部フィルタ２９ａの外径はタンク１の内面径よりやや大きく、その外径を弾性的に縮めてタンク１内に挿入されるようになっているが、この下部フィルタ２９及び上部フィルタ２９ａの外径をタンク１の内面径と略同一にすることも可能である。
【０００６】
３１は前記タンク１の上端開口部に嵌合しタンク接合部を図３の如く溶接して固定されるヘッダで、このヘッダ３１は冷媒流入配管(図示せず)を取付けるための流出口３３と、この流出口３３に連通し前記吸出管２３の上端部を気密にシールするＯリング等のシール部材３６を設け、前記接合口３４の下方先端部３６を図５の如くかしめることにより固定している。従って、前記ヘッダ３１をタンク１の上端開口部に嵌合したときに前記吸出管２３の上端部は前記接合口３４の内孔３７に嵌挿され、シール部材３６により気密にシールされる。なお、３８はサイトグラスを示す。
【０００７】
而して、前記構成のレシーバドライヤを組立てるには、下端に受け部材２４を取付けた吸出管２３に、その上端部より保持板２８ａと下部フィルタ２９を挿通してフィルタ係止部４上に係止させ、更にこの保持板２８ａ及び下部フィルタ２９を嵌挿保持した吸出管２３をタンク１内に上端開口部から挿入すると、この吸出管２３の下端部、即ち受け部材２４の部分はタンク底面２１の傾斜面２２ａに添って滑落し、タンク底面２１の平坦中央部２２で止まる。一方、前記フィルタ２９の弾性により吸出管２３の上方部分はタンク１の中心部に位置決めされる。次に、下部フィルタ２９上に所定量の乾燥剤３０をタンク１の上端開口部から充填して、上部フィルタ２９ａと押え板２８ｂを被せ、更にヘッダ３１をタンク１の上端開口部に嵌合させる。
【０００８】
この場合、前記吸出管２３の上端部はタンク１の中心部に位置決めされているので、この吸出管上端部はヘッダ中心接合口３４の内孔３７に嵌り、Ｏリング等のシール部材３６により気密にシールされる。また、前記受け部材２４によってタンク底面２１の平坦中央部２２と吸出管２３の下端部との間に図３に示すような適正な隙間が確保される。
【０００９】
前記ヘッダ３１はタンク１の上端開口部に嵌合した後に、タンク１との接合部を溶接等によって固定し前記タンク１を密閉する。従って、流入口３２より流入する気液２相の冷媒中の液冷媒は、フィルタ部４０を通過して水分及び塵埃が除去され、タンク１の下部に液冷媒３９が貯留される。
【００１０】
この液冷媒３９は受け部材２４の通孔２７を通り、吸出管２３と流出口３３を経て図示しない温度膨張弁等に供給される。なお、タンク１の上部に貯留されるガス状冷媒は吸出管２３の上端部とヘッダ３１との接合部が気密になっているので流出口３３側に流れることはない。前記実施例ではタンク１の形状を円筒形としたが、必ずしも円筒形状でなくて良く、ヘッダ３１やフィルタ部４０などをタンク形状に合わせれば良い。
【００１１】
更に図３に示すレシーバドライヤを天地逆にして使用する場合があり、この場合の例を図６に示す。図６においては、液相冷媒の流入口と流出口が図３のレシーバドライヤと逆になる点が異なり、したがって、３３′が冷媒の流入口及び３２′が冷媒の流出口となり、他の構造は同一であるので同一部分には同一符号を付して説明を省略する。
【００１２】
而して、図６において、冷媒の流入口３３′から流入した液相冷媒は図の矢印の如く流れて流出口３２′より外部に至る。なお、図６においては、図３のサイトグラス３８は省略して示している。
【００１３】
この種レシーバドライヤにおいて、車両用冷・暖房システムの冷媒の洩れの有無を検出するために、螢光剤を具備せしめ、万一冷媒がシステム内において洩れている場合には、冷媒と共に流出する螢光剤を紫外線の照射により検出することが、特表平１０−５０２７３７号公報に開示されている。
【００１４】
【発明が解決しようとする課題】
上述した冷媒の冷・暖房システムからの漏れを検出するための螢光剤は、レシーバドライヤ内に配置された乾燥剤と共に具備されている。このため、螢光剤は、乾燥剤によって固定されているのと同様の状態にて具備されていることとなる。
【００１５】
しかるに、螢光剤５０がそのような状態にて具備されたレシーバドライヤについては、レシーバドライヤが完成品となった後に、螢光剤５０がレシーバドライヤ内に存在するか否かの確認が要求される。
【００１６】
即ち、螢光剤５０は、レシーバドライヤの乾燥剤内に自動化により又は手動により投入され、具備せしめるが、自動化の場合には機械の不調により又は手動の場合には投入を忘れる場合が生ずることにより、レシーバドライヤ内に螢光体５０が存在しないことが生じる場合があり、レシーバドライヤ内の螢光体の有無の確認が必要となるのである。この螢光体の有無の確認には、例えばＸ線による投影等があるが、設備的に高価となり、しかもその設備も大きなものとなり、実用上問題となる。
【００１７】
本発明は、上記のような課題に鑑みてなされたもので、その目的とするところは螢光剤を含む部材をレシーバドライヤの乾燥剤充填部外に配置することにより、レシーバドライヤ内での螢光剤含む部材の有無の点検が容易にでき、製造コストを低く抑えることのできるレシーバドライヤを提供することにある。
【００１８】
【課題を解決するための手段】
前記の目的を達成すべく、本発明に係るレシーバドライヤは、タンク内の所定部分に乾燥剤が配置されたレシーバドライヤであって、上記乾燥剤の配置部分外でかつ液冷媒が通過する空間内に蛍光剤を含む部材がフリー状態で配置されており、上記螢光剤を液冷媒が通過する。そして、上記螢光剤を含む部材がレシーバドライヤ内にフリーの状態で配置されていることを特徴としている。
【００１９】
好ましい態様では、上記乾燥剤がフィルタ部に存在すると共に、上記螢光剤を含む部材が上記フィルタ部の上流側に配置されている。
【００２０】
かかる構成とされた本発明に係るレシーバドライヤにおいては、螢光剤を含む部材がレシーバドライヤ内にフリー状態で配置されているので、手振りで容易に螢光剤を含む部材の有無を点検・確認することができ、製造コストを低く抑えることができる。
【００２１】
【発明の実施の形態】
以下、本発明の実施形態を図面を参照しながら説明する。
図１は、本発明に係るレシーバドライヤの一実施形態を示す断面図であり、図示実施形態のレシーバドライヤは、図６に示すレシーバドライヤにおいて、螢光剤５０が乾燥剤３０の配置部分外となるフィルタ部４０の上流側である上部空間６０内に具備されている。即ち、螢光剤５０は螢光剤をポリエステルに含浸させた例えば、厚さ８mm、直径１２．７mmの円柱状に形成されたウエハであるため、円筒状のタンク１内壁にフリー状態で装着される。かかる装着の状態により、レシーバドライヤを手振りすることにより、容易に螢光剤５０の有無が点検・確認できる。しかも、かかる実施形態においては、螢光剤５０はポリエステルのウエハであるため、レシーバドライヤの冷媒通路中を移動しても、タンク１内部の他部品に影響を与えることはないのであり、又、螢光剤５０の移動により万一繊維等の異物が発生しても、螢光剤はフィルタ部４０で捕獲が可能となる等の作用効果を奏するのである。
【００２２】
なお、図１の実施形態のレシーバドライヤは、図６のレシーバドライヤに対して螢光剤５０を具備せしめた点が異なるのであるので、同一部分には同一符号を付して説明を省略する。なお、図１の矢印は液相冷媒の流れ方向を示している。
【００２３】
図２は、本発明に係るレシーバドライヤの他の実施形態を示す断面図である。図示実施形態のレシーバドライヤは、図３に示すレシーバドライヤにおいて、螢光剤５０が、乾燥剤３０の配置された部分外となるフィルタ部４０の上流側である上部空間６０′内に具備されている。かかる実施形態においても、螢光剤５０は、円筒状のタンク１内壁にフリー状態で装着され、レシーバドライヤを手振りすることにより、容易に螢光剤５０の有無が点検・確認できる。更に、図２の実施形態においても、図１の実施形態と同様の作用効果を奏する。
【００２４】
【発明の効果】
以上の説明から理解されるように、本発明のレシーバドライヤは、螢光剤を含む部材がレシーバドライヤ内にフリー状態で配置されているので、容易に螢光剤を含む部材の有無を点検・確認することができ、装置コスト・製造コストを低く抑えることができる。
【図面の簡単な説明】
【図１】本発明に係るレシーバドライヤの一実施形態を示す断面図。
【図２】本発明に係るレシーバドライヤの他の実施形態を示す断面図。
【図３】従来のレシーバドライヤの断面図。
【図４】図３のレシーバドライヤの主要部を示す図。
【図５】図３のレシーバドライヤの主要部を示す図。
【図６】図３のレシーバドライヤを天地逆にした状態で示す断面図。
【符号の説明】
１  タンク
３０  乾燥剤
４０  フィルタ部
５０  螢光剤
６０  上部空間
【図１】
0004156166.tif 000002
【図２】
0004156166.tif 000003
【図３】
0004156166.tif 000004
【図４】
0004156166.tif 000005
【図５】
0004156166.tif 000006
【図６】
0004156166.tif 000007